(57)【要約】 【課題】操作性が容易で且つ作業者の補助機能として小物部品の計数が正確にでき、しかも、機械の持ち運びを容易にする。【解決手段】個数をあらかじめ設定する設定部と、部品２の通過を感知するセンサ５と、設定個数に達したことを報知する報知手段と、前記センサ５の上方に配置されているとともに部品２を案内する投入部６と、更に、投入部６とセンサ５の下方に位置し且つ部品２を貯留する貯留箱１０と、これら設定部、センサ５、報知手段及び投入部６を組み合わせた計数ユニットを内蔵するユニットケース１を吊り下げ可能にした取手部材３０とから構成した部品投入計数器であるので、内職による所定個数の計数作業が正確になり、勘違い等により個数を途中で間違えることがあっても、設定個数に達したことが報知され、個数間違いが解消される。また、小型であることから重量も比較的軽く、持ち運びが容易である。【選択図】図１
2005071048.tif 000002
【特許請求の範囲】
【請求項１】
個数をあらかじめ設定する設定部と、部品（２）の通過を感知するセンサ（５）と、この設定された個数に達すると設定個数に達したことを報知する報知手段と、前記センサの上方に配置されているとともに部品を案内する投入部（６）と、更に、この投入部とセンサの下方に位置し且つ部品を貯留する貯留箱（１０）と、これら設定部、センサ、報知手段及び投入部を組み合わせた計数ユニットを内蔵するユニットケース（１）を吊り下げ可能にした取手部材（３０）とから構成したことを特徴とする部品投入計数器。
【請求項２】
投入部はすり鉢状で且つ中心部に投入穴（７）が開口されており、この投入穴には部品皿（２０）が一体固定されたガイド筒（２１）が取り付け取り外し可能に貫入された構成であることを特徴とする請求項１記載の部品投入計数器。
【請求項３】
部品皿は底が平板形状であって、その外周縁に部品がこぼれないように所定高さの側壁（２２）を有しており、しかも、この底にはガイド筒の一端が連通していることを特徴とする請求項２記載の部品投入計数器。
【請求項４】
取手部材は計数ユニットを内蔵するユニットケースを水平に支えるように、このユニットケースの両側面の重心位置に回動支点を有して支持していることを特徴とする請求項１、２又は３記載の部品投入計数器。
【発明の詳細な説明】
【技術分野】
【０００１】
本発明は、比較的小さい小物部品の計数器に関し、特に、内職等において、作業者が部品を所定個数数える際に数え間違いの生じないようにするとともに持ち運びの容易な部品投入計数器に関する。
【背景技術】
【０００２】
一般に、ねじ、リベット、ワッシャ等の比較的小さい小物部品をあらかじめ設定した個数宛、箱あるいは袋詰め等をする場合、最近ではこの計数から箱あるいは袋詰めまでを自動化した機械を導入し、部品の計数から箱あるいは袋詰めまでを一貫した流れ作業で行うようにしてコストの低減を図るようになってきている。しかしながら、このような機械は初期導入費用が高いとともにその小物部品の連続した繋がりが生じると、計数不能になっている。これを解消するために、このような連続供給が生じないようにあらかじめこれら小物部品を自動供給中に分離し、センサによる計数が正確に行えるようにして自動化に対応しているのが現状である。
【発明の開示】
【発明が解決しようとする課題】
【０００３】
ところが、これら小物部品を所定量宛、箱あるいは袋に詰める作業においては、未だに内職により行っているのが主流であり、そのような場合、前記のような自動計数装置を導入することは費用の面から採用されず、依然として作業者が所定個数宛、数えてこれを箱あるいは袋詰めしているのが現状である。このため、個数の数え間違いの発生が生じ易く、これの解消が急務となっていた。また、これを解消しようとして自動計数器を使用してもその操作が複雑であったり、機械の持ち運びが一人ではできない程の重さである等して内職においては、その使用は不向きである等の課題を有している。
【０００４】
本発明はこのような課題を解決するために開発されたもので、内職等においてその操作性が容易で且つ作業者の補助機能として小物部品の計数が正確にでき、しかも、その機械の持ち運びを容易にすることを目的としている。
【課題を解決するための手段】
【０００５】
本発明の目的は、個数をあらかじめ設定する設定部と、部品２の通過を感知するセンサ５と、この設定された個数に達すると設定個数に達したことを報知する報知手段と、前記センサ５の上方に配置されているとともに部品２を案内する投入部６と、更に、この投入部６とセンサ５の下方に位置し且つ部品２を貯留する貯留箱１０と、これら設定部、センサ５、報知手段及び投入部６を組み合わせた計数ユニットを内蔵するユニットケース１を吊り下げ可能にした取手部材３０とから構成した部品投入計数器とすることで達成される。
【０００６】
また、この構成において、投入部はすり鉢状で且つ中心部に投入穴７が開口されており、この投入穴７には部品皿２０が一体固定されたガイド筒２１が取り付け取り外し可能に貫入された構成とすることで、部品皿の部品を貯めて作業者が指で送り込むようにしてもよく、この部品皿を取り除き、投入部に部品を１個宛投入するようにしてもよい。更に、この構成における部品皿は底が平板形状であって、その外周縁に部品２がこぼれないように所定高さの側壁２２を有しており、しかも、この底にはガイド筒２１の一端が連通していることで、部品皿からの部品は確実にセンサを通過するようになっている。
【０００７】
その上、取手部材は計数ユニットを内蔵するユニットケース１を水平に支えるように、このユニットケース１の両側面の重心位置に回動支点を有して支持している部品投入計数器であることから、この機械の移動時において、この機械を作業者が必要に応じて簡単に移動させることができる。
【発明の効果】
【０００８】
本発明によれば、多く行われている内職による所定個数の部品の箱詰めあるいは袋詰め作業において、所定個数の計数作業が正確になり、例え、作業者が勘違い等により個数を途中で間違えるようなことがあっても、あらかじめ設定された個数に達すると、センサからの信号を受けた報知手段で設定個数に達したことが報知され、個数間違いが解消される。また、自動計数から包装までの自動化された高価な機械が必要なく、内職による計数確認等の計数補助として使用することができ、作業者の疲労も解消される。しかも、小型であることから重量も比較的軽く、作業者は必要に応じてこれを移動させることができ、使い勝手も向上する等の特有の効果がある。
【発明を実施するための最良の形態】
【０００９】
以下、本発明の実施の形態を図１乃至図５に基づき説明する。図１及び図３において、１は計数ユニットのユニットケースであり、この中には部品２の計数個数を設定する設定部が設けられている。この設定部はロータリスイッチ３を桁毎に任意に回転させて設定するよう内蔵された制御手段（図示せず）で電気的に設定されるようになっている。また、ロータリスイッチ３の横には表示部４が設けてあり、これは図２に示すセンサ５からの信号を受けて部品２の個数を順次表示するものである。更に、前記制御手段には前記ロータリスイッチ３で設定された個数に達すると、警告音を出力報知する警報器（図示せず）が電気接続してあり、これはユニットケース１に内蔵され、前記センサ５からの信号により作動するようになっている。尚、この警報器による報知手段に変えて、前記ロータリスイッチ３で設定された個数に達すると、前記表示部４を点滅表示して報知するようにしてもよく、これらを組み合わせたものであってもよい。
【００１０】
前記センサ５はユニットケース１の上面にすり鉢形状で配置されている投入部６の中心にある投入穴７の下方に設けられており、この投入穴７から落下する部品２がセンサ５を遮ることで、信号が出力されるようになっている。その上、前記ロータリスイッチ３で設定された設定個数を超えた個数の部品２が投入されて計数された場合は、このロータリスイッチ３と並んで配置されているリセットスイッチ８を押すことで、部品２の超過個数が表示部４に表示されるようになっており、再度、このリセットスイッチ８を押すと、表示部４はゼロ表示となるように設定されている。そして、これら設定部、センサ５、表示部４及び投入部６は前記計数ユニットを構成している。
【００１１】
このセンサ５の下方には貯留箱１０がユニットケース１の両側にあるガイド部材１１に案内されてユニットケース１内に収納配置してあり、あらかじめロータリスイッチ３により設定された設定個数に相当する個数の部品２が収納されると、この貯留箱１０を取り出し可能となっている。この貯留箱１０のユニットケース１内での収納位置はこの中にある止め板１２によりその押し込み量が決定されており、これに当たるまで貯留箱１０を押し込むことで、部品２の落下位置に対する貯留箱１０の位置が決定される。
【００１２】
一方、前記ユニットケース１の上面に形成されているすり鉢形状の投入部６にはこの中心部に形成されている投入穴７に取り付け取り外し可能に貫入されたガイド筒２１を一体固定した部品皿２０が設けてあり、この部品皿２０は平板形状で且つその周縁に所定高さの連続した側壁２２を設けて形成されている。この部品皿２０の一端に固定されている前記ガイド筒２１の周囲には前記すり鉢形状の投入部６に周縁が接する円形形状のガイド板２３が嵌め込み固定されており、これにより投入穴７へのガイド筒２１の嵌め込み時に傾くことなく安定して部品皿２０が設置されるようになっている。この部品皿２０は投入穴７にその先端部が挿入されているだけなので、自由にその位置を水平面上においてガイド筒２１を中心に旋回させることができる。
【００１３】
更に図４及び図５に示すように、このユニットケース１の両側面にはアーム３１の一端が回転自在に軸支されて取り付けてあり、このアーム３１の他端には把持棒３２が連結されてこれらアーム３１と把持棒３２で取手部材３０を構成している。これにより、計数ユニットのユニットケース１が取手部材３０をつかみ、作業者が提げることによって部品計数器を持ち運び可能となっている。しかも、この取手部材３０は計数ユニットを内蔵するユニットケース１を水平に支えるように、このユニットケース１の両側面の重心位置に回動支点を有するように軸支されていることから、この機械を作業者が必要に応じて簡単に移動させることができる。
【００１４】
このように構成することで、取手部材３０を作業者が持って所定の作業位置へ部品計数器を運んだ後、作業者が投入部６に部品２を設定個数投入する計数作業においては、あらかじめ、貯留箱１０を位置決めし、部品２の個数を設定部のロータリスイッチ３で設定してからすり鉢状の投入部６に部品を投入する。これにより、部品２は投入穴７から落下し、センサ５を部品２が遮ると、その信号が制御手段に入力されて計数される。この信号は表示部４に出力されるので、部品２の投入個数が順次計数される。このようにして、計数が繰り返されて設定個数に達すると、報知手段に信号が入り、警報器から警告音が出力されることになり、設定個数に達したことが報知される。また、この作業中に作業者が気付かずに設定個数以上の個数を投入した場合は、表示部４には設定個数を超えた個数が表示されることになっているので、これに気が付いた時にリセットスイッチ８を押すことで、設定個数を超えた超過個数が表示されるので、この超過個数分の部品を取り除けばよいことになる。
【００１５】
一方、部品２の計数作業において、部品２の投入計数を行わず、所定量宛、作業者が指で振り分けながら計数する場合は、前記投入穴７にガイド筒２１を有する部品皿２０を取り付ける。この部品皿２０の取り付けは前記投入穴７にガイド筒２１の先端部を挿入し、ガイド筒２１の途中に固定されているガイド板２３の外周縁が投入部６に接することで、取り付けられるようになっており、このようにして取り付けられた部品皿２０上に部品２を所定量載せ、作業者が指でガイド筒２１内に落下させることでセンサ５で計数される。また、この部品計数器を持ち運ぶ場合は、この部品皿２０を投入穴７から抜き取ってから取手部材３０を持ち上げることで運ぶことが可能になる。
【図面の簡単な説明】
【００１６】
【図１】本発明の部品計数器の正面図である。
【図２】図１のＡ−Ａ線に沿う要部概略断面図である。
【図３】本発明の外観斜視図である。
【図４】取手部材を直立させ、部品皿を除いた図１の側面図である。
【図５】取手部材を直立させ、部品皿を回転させた図１の平面図である。
【符号の説明】
【００１７】
１  ユニットケース
２  部品
３  ロータリスイッチ
４  表示部
５  センサ
６  投入部
７  投入穴
８  リセットスイッチ
１０  貯留箱
１１  ガイド部材
１２  止め板
２０  部品皿
２１  ガイド筒
２２  側壁
２３  ガイド板
３０  取手部材
３１  アーム
３２  把持棒
【図１】
2005071048.tif 000003
【図２】
2005071048.tif 000004
【図３】
2005071048.tif 000005
【図４】
2005071048.tif 000006
【図５】
2005071048.tif 000007